(57)【特許請求の範囲】
【請求項１】
無線通信によりリモートパネルモードで無線接続した端末装置に操作画面を送信し、前記端末装置から受信した前記操作画面への操作指示により、操作が可能な画像形成装置であって、
１または複数の前記端末装置と無線通信し、１または複数の特定の前記端末装置に対してビームフォーミングを実行可能な無線通信部と、
前記リモートパネルモードで無線接続した前記端末装置に送信する第１の種類の操作画面と、前記第１の種類の操作画面よりも高い転送レートが要求される第２の種類の操作画面と、を生成する画像生成部と、
前記無線通信部を介して、前記端末装置に表示した操作画面に対する操作指示を受信し、受信した前記操作指示に基づいて前記画像生成部に生成させた更新後の操作画面を前記端末装置に送信する画像制御部と、を備え、
前記第２の種類の操作画面は、前記端末装置からのユーザーによるジェスチャー操作に関する操作指示を受け付け可能な操作画面であり、
前記無線通信部を介して前記端末装置に前記第２の種類の操作画面を送信する場合、送信先の前記端末装置に対するビームフォーミングを有効にする、画像形成装置。
【請求項２】
送信先の前記端末装置に対して前記ビームフォーミングを有効にするタイミングは、
前記端末装置に送信する操作画面を前記第２の種類の操作画面に切り替えるとき、
前記端末装置で前記第２の種類の操作画面を表示している場合に、前記端末装置からのジェスチャー操作に関する操作指示を受信し、前記ジェスチャー操作に応じた一連の第２の種類の操作画面の送信を開始するとき、
または、前記端末装置で前記第２の種類の操作画面を表示している場合に、前記端末装置からのジェスチャー操作を受け付ける表示領域内へのユーザーによるタッチ操作開始に関する操作指示を受信したときである、請求項１に記載の画像形成装置。
【請求項３】
前記リモートパネルモードで無線接続した前記端末装置が１台である場合に、前記ビームフォーミングを有効にする場合、前記端末装置での受信信号強度が最も高くなるように、前記ビームフォーミングを鋭角化させる、請求項１または請求項２に記載の画像形成装置。
【請求項４】
前記端末装置に対して有効化している前記ビームフォーミングを無効にするタイミングは、
前記端末装置に送信する操作画面を第２の種類の操作画面から第１の種類の操作画面に切り替えるとき、
１つの前記ジェスチャー操作に応じた一連の第２の種類の操作画面の送信を終了したとき、
または、前記端末装置から一定時間以上、第２の種類の操作画面に対する操作指示の受信がないとき、である請求項１〜請求項３のいずれか１つに記載の画像形成装置。
【請求項５】
送信先の前記端末装置に対して前記ビームフォーミングを有効にするタイミングは、前記端末装置で前記第２の種類の操作画面を表示している場合に、前記端末装置からのジェスチャー操作を受け付ける表示領域内へのユーザーによるタッチ操作開始に関する操作指示を受信したときであり、
無効にするタイミングは、前記表示領域内への前記タッチ操作が終了した操作指示を受信したときである、
請求項１に記載の画像形成装置。
【請求項６】
前記リモートパネルモードで同時に複数の前記端末装置と無線接続している際に、
前記複数の端末装置のうちの１台の端末装置を対象として前記ビームフォーミングを有効にする場合、
対象となる前記端末装置に対して前記ビームフォーミングを段階的に鋭角化するときに、前記対象でない他の端末装置での受信信号強度が所定の閾値以下まで低下した場合、前記鋭角化を停止し、そのときの鋭角度で、対象となる前記端末装置への前記ビームフォーミングを実行する、請求項１〜請求項５のいずれか１つに記載の画像形成装置。
【請求項７】
受信信号強度が所定の閾値以下まで低下した前記端末装置が、一定時間以上、操作指示の受信がない端末装置であれば、該端末装置に対する受信信号強度の所定の閾値以下となることを許容して前記鋭角化を継続する、請求項６に記載の画像形成装置。
【請求項８】
前記複数の端末装置のうち１台の端末装置に対する前記ビームフォーミングが有効であるときに、さらに、もう１台の端末装置に対して前記ビームフォーミングを有効にする前記タイミングになった場合、
一旦、前記ビームフォーミングを無効にしてから受信した、２台の前記端末装置の受信信号強度を比較し、受信信号強度が低い方の前記端末装置に対して前記ビームフォーミングを有効にする、請求項２に記載の画像形成装置。
【請求項９】
２台の前記端末装置のうち、一方の端末装置に対する前記ビームフォーミングを有効にする場合、前記一方の端末装置に対する前記ビームフォーミングを段階的に鋭角化してゆきながら、他方の端末装置の受信信号強度を受信し、
該受信信号強度が、前記ビームフォーミングを無効にしたときに受信した前記他方の端末装置の受信信号強度よりも低くなった場合、
前記ビームフォーミングの鋭角化を停止し、前記低くなる前の鋭角度で、対象となる前記端末装置への前記ビームフォーミングを実行する、請求項８に記載の画像形成装置。
【請求項１０】
前記端末装置の地理的位置の移動を検出する移動検出部を備え、
前記移動検出部により、前記ビームフォーミングを有効にした前記端末装置の移動を判定した場合に、移動後の前記端末装置に対して、前記ビームフォーミングの向きを追従させる、請求項１〜請求項５のいずれか１つに記載の画像形成装置。
【請求項１１】
前記リモートパネルモードで同時に複数の前記端末装置と無線接続し、そのうち１台の前記端末装置を対象として前記ビームフォーミングを有効にしているときに、
前記ビームフォーミングが有効な前記端末装置の移動を前記移動検出部により検出した場合に、前記対象でない他の端末装置での受信信号強度が所定の閾値以下とならない場合に、移動後の前記端末装置に対して前記ビームフォーミングの向きを追従させる、請求項１０に記載の画像形成装置。
【請求項１２】
移動後の該端末装置に対して、前記ビームフォーミングの向きを追従させたときに、前記対象でない他の端末装置での受信信号強度が所定の閾値以下となるか否かを判定し、
所定閾値以下まで低下した場合、前記ビームフォーミングを無効にする、請求項１１に記載の画像形成装置。
【請求項１３】
前記ビームフォーミングの向きを追従させたときに受信信号強度が前記所定の閾値以下まで低下した前記端末装置が、一定時間以上、操作指示の受信がない端末装置であれば、該端末装置に対する受信信号強度の前記所定の閾値以下となることを許容し、前記ビームフォーミングの向きの追従を実行する、請求項１２に記載の画像形成装置。
【請求項１４】
無線通信によりリモートパネルモードで無線接続した端末装置から受信した操作指示により操作が可能な画像形成装置であって、ビームフォーミングを実行可能な無線通信部を備える画像形成装置で実行される制御方法であって、
１または複数の前記端末装置とリモートパネルモードによる無線接続を確立するステップと、
前記端末装置に対して、該端末装置の表示面に表示する操作画面を送信するステップと、
前記操作画面に応じた、前記端末装置から操作指示を受信するステップと、
前記操作指示に基づいて、第１の種類の操作画面と、前記第１の種類の操作画面よりも高い転送レートが要求される第２の種類の操作画面のいずれかを生成し、生成した操作画面を前記端末装置に送信するステップと、
前記第２の種類の操作画面を送信する場合、送信先の端末装置に対するビームフォーミングを有効にするステップと、を含む制御方法。
【請求項１５】
前記ビームフォーミングを有効にするステップにおいて、送信先の前記端末装置に対して前記ビームフォーミングを有効にするタイミングは、
前記端末装置に送信する操作画面を前記第２の種類の操作画面に切り替えるとき、
前記端末装置で前記第２の種類の操作画面を表示している場合に、前記端末装置からのジェスチャー操作に関する操作指示を受信し、前記ジェスチャー操作に応じた一連の第２の種類の操作画面の送信を開始するとき、
または、前記端末装置で前記第２の種類の操作画面を表示している場合に、前記端末装置からのジェスチャー操作を受け付ける表示領域内へのユーザーによるタッチ操作開始に関する操作指示を受信したときである、請求項１４に記載の制御方法。
【発明の詳細な説明】
【技術分野】
【０００１】
本発明は、画像形成装置、および画像形成装置の制御方法に関する。
【背景技術】
【０００２】
近年、スマートフォン、タブレット端末等の可搬型の端末装置が広く用いられている。これらの端末装置で編集等したファイルをＭＦＰ（Ｍｕｌｔｉ  Ｆｕｎｃｔｉｏｎ  Ｐｅｒｉｐｈｅｒａｌｓ）等の画像形成装置に無線で送信し、画像形成装置で印刷または保存等の処理を実行できる。また、画像形成装置のスキャナ部で読み取った原稿の画像データ等のファイルを端末装置に送信し、端末装置で編集等を行える。
【０００３】
さらに、画像形成装置の操作を無線接続した端末装置側で行うために、リモートパネル制御という技術がある。リモートパネル制御は、画像形成装置側の操作パネルに表示する操作画面等の画像データを端末装置に送信し、これを受けた端末装置はこの操作画面を操作パネル上に表示する。そしてユーザーは操作パネルへの操作を通じて画像形成装置を操作できる。このとき、画像形成装置では、端末装置から送られた操作パネルへの操作位置を示す操作情報に基づいて、次の階層の操作画面を作成し、これを端末装置に送信したり、操作位置に応じたプリント動作等の処理を実行したりする。
【０００４】
また、スマートフォン、タブレット端末等では操作性を向上させるために、フリックやドラックなどのジェスチャー操作を受け付け可能としている。このジェスチャー操作は、ユーザーの指のタッチ位置の変化に応じて、画面のスクロールや拡大／縮小などを指示する際に用いられる。特許文献１では、リモートパネル制御においても、ユーザーによるジェスチャー操作に応じて、端末装置の操作パネルで連続的に操作画面が少しずつ変化するように、画像形成装置側で複数の操作画面を連続して生成し、これを端末装置の操作パネルにリアルタイムで表示させている（以下、「アニメーション表示」という）。この特許文献１では、アニメーション表示用の操作画面を作成するときにＭＦＰ本体が過負荷にならないようにしている。具体的には、ＭＦＰ本体の負荷状況を計測し、負荷が閾値を越える場合には、端末装置に対してジェスチャー操作ができない操作画面を送信し、負荷がしきい値を越えない場合にはジェスチャー操作可能な操作画面を送信している。
【先行技術文献】
【特許文献】
【０００５】
【特許文献１】特開２０１５―０３３０８１号公報
【発明の概要】
【発明が解決しようとする課題】
【０００６】
特許文献１に開示された技術では、ジェスチャー操作ができない操作画面と、ジェスチャー操作可能な操作画面のいずれかを画像形成装置から端末装置に送信している。ジェスチャー操作ができない操作画面では、操作画面の送信は、ユーザーによる１つの操作指示に応じて、１枚の操作画面を送信すればよい。その一方で、ジェスチャー操作に応じて、端末装置でスクロール等のアニメーション表示させる際に、画像が滑らかにスクロールされるように表示させるためには、例えば２０〜３０枚／秒の速度で操作画面を連続的に、途切れなく送信する必要がある。このようなアニメーション表示をさせるためには、無線通信において広い通信帯域が必要である。
【０００７】
特許文献１では、アニメーション表示させる際にＭＦＰ側が過負荷にならないように制御する技術については開示されているが、操作画面を連続的に、途切れなく送信する際の帯域不足については何ら考慮されていない。
【０００８】
本発明は、上記事情に鑑みてなされたものであり、ジェスチャー操作に関する操作指示を受け付け可能な操作画面を端末装置に送信する場合に、アニメーション表示処理に支障のない通信速度を確保する画像形成装置を得ることを目的とする。
【課題を解決するための手段】
【０００９】
本発明の上記目的は、下記の手段によって達成される。
【００１０】
（１）無線通信によりリモートパネルモードで無線接続した端末装置に操作画面を送信し、前記端末装置から受信した前記操作画面への操作指示により、操作が可能な画像形成装置であって、
１または複数の前記端末装置と無線通信し、１または複数の特定の前記端末装置に対してビームフォーミングを実行可能な無線通信部と、
前記リモートパネルモードで無線接続した前記端末装置に送信する第１の種類の操作画面と、前記第１の種類の操作画面よりも高い転送レートが要求される第２の種類の操作画面と、を生成する画像生成部と、
前記無線通信部を介して、前記端末装置に表示した操作画面に対する操作指示を受信し、受信した前記操作指示に基づいて前記画像生成部に生成させた更新後の操作画面を前記端末装置に送信する画像制御部と、を備え、
前記第２の種類の操作画面は、前記端末装置からのユーザーによるジェスチャー操作に関する操作指示を受け付け可能な操作画面であり、
前記無線通信部を介して前記端末装置に前記第２の種類の操作画面を送信する場合、送信先の前記端末装置に対するビームフォーミングを有効にする、画像形成装置。
【００１１】
（２）送信先の前記端末装置に対して前記ビームフォーミングを有効にするタイミングは、
前記端末装置に送信する操作画面を前記第２の種類の操作画面に切り替えるとき、
前記端末装置で前記第２の種類の操作画面を表示している場合に、前記端末装置からのジェスチャー操作に関する操作指示を受信し、前記ジェスチャー操作に応じた一連の第２の種類の操作画面の送信を開始するとき、
または、前記端末装置で前記第２の種類の操作画面を表示している場合に、前記端末装置からのジェスチャー操作を受け付ける表示領域内へのユーザーによるタッチ操作開始に関する操作指示を受信したときである、上記（１）に記載の画像形成装置。
【００１２】
（３）前記リモートパネルモードで無線接続した前記端末装置が１台である場合に、前記ビームフォーミングを有効にする場合、前記端末装置での受信信号強度が最も高くなるように、前記ビームフォーミングを鋭角化させる、上記（１）または上記（２）に記載の画像形成装置。
【００１３】
（４）前記端末装置に対して有効化している前記ビームフォーミングを無効にするタイミングは、
前記端末装置に送信する操作画面を第２の種類の操作画面から第１の種類の操作画面に切り替えるとき、
１つの前記ジェスチャー操作に応じた一連の第２の種類の操作画面の送信を終了したとき、
または、前記端末装置から一定時間以上、第２の種類の操作画面に対する操作指示の受信がないとき、である上記（１）〜上記（３）のいずれか１つに記載の画像形成装置。
【００１４】
（５）送信先の前記端末装置に対して前記ビームフォーミングを有効にするタイミングは、前記端末装置で前記第２の種類の操作画面を表示している場合に、前記端末装置からのジェスチャー操作を受け付ける表示領域内へのユーザーによるタッチ操作開始に関する操作指示を受信したときであり、
無効にするタイミングは、前記表示領域内への前記タッチ操作が終了した操作指示を受信したときである、
上記（１）に記載の画像形成装置。
【００１５】
（６）前記リモートパネルモードで同時に複数の前記端末装置と無線接続している際に、
前記複数の端末装置のうちの１台の端末装置を対象として前記ビームフォーミングを有効にする場合、
対象となる前記端末装置に対して前記ビームフォーミングを段階的に鋭角化するときに、前記対象でない他の端末装置での受信信号強度が所定の閾値以下まで低下した場合、前記鋭角化を停止し、そのときの鋭角度で、対象となる前記端末装置への前記ビームフォーミングを実行する、上記（１）〜上記（５）のいずれか１つに記載の画像形成装置。
【００１６】
（７）受信信号強度が所定の閾値以下まで低下した前記端末装置が、一定時間以上、操作指示の受信がない端末装置であれば、該端末装置に対する受信信号強度の所定の閾値以下となることを許容して前記鋭角化を継続する、上記（６）に記載の画像形成装置。
【００１７】
（８）前記複数の端末装置のうち１台の端末装置に対する前記ビームフォーミングが有効であるときに、さらに、もう１台の端末装置に対して前記ビームフォーミングを有効にする前記タイミングになった場合、
一旦、前記ビームフォーミングを無効にしてから受信した、２台の前記端末装置の受信信号強度を比較し、受信信号強度が低い方の前記端末装置に対して前記ビームフォーミングを有効にする、上記（２）に記載の画像形成装置。
【００１８】
（９）２台の前記端末装置のうち、一方の端末装置に対する前記ビームフォーミングを有効にする場合、前記一方の端末装置に対する前記ビームフォーミングを段階的に鋭角化してゆきながら、他方の端末装置の受信信号強度を受信し、
該受信信号強度が、前記ビームフォーミングを無効にしたときに受信した前記他方の端末装置の受信信号強度よりも低くなった場合、
前記ビームフォーミングの鋭角化を停止し、前記低くなる前の鋭角度で、対象となる前記端末装置への前記ビームフォーミングを実行する、上記（８）に記載の画像形成装置。
【００１９】
（１０）前記端末装置の地理的位置の移動を検出する移動検出部を備え、
前記移動検出部により、前記ビームフォーミングを有効にした前記端末装置の移動を判定した場合に、移動後の前記端末装置に対して、前記ビームフォーミングの向きを追従させる、上記（１）〜上記（５）のいずれか１つに記載の画像形成装置。
【００２０】
（１１）  前記リモートパネルモードで同時に複数の前記端末装置と無線接続し、そのうち１台の前記端末装置を対象として前記ビームフォーミングを有効にしているときに、
前記ビームフォーミングが有効な前記端末装置の移動を前記移動検出部により検出した場合に、前記対象でない他の端末装置での受信信号強度が所定の閾値以下とならない場合に、移動後の前記端末装置に対して前記ビームフォーミングの向きを追従させる、上記（１０）に記載の画像形成装置。
【００２１】
（１２）移動後の該端末装置に対して、前記ビームフォーミングの向きを追従させたときに、前記対象でない他の端末装置での受信信号強度が所定の閾値以下となるか否かを判定し、
所定閾値以下まで低下した場合、前記ビームフォーミングを無効にする、上記（１１）に記載の画像形成装置。
【００２２】
（１３）前記ビームフォーミングの向きを追従させたときに受信信号強度が前記所定の閾値以下まで低下した前記端末装置が、一定時間以上、操作指示の受信がない端末装置であれば、該端末装置に対する受信信号強度の前記所定の閾値以下となることを許容し、前記ビームフォーミングの向きの追従を実行する、上記（１２）に記載の画像形成装置。
【００２３】
（１４）無線通信によりリモートパネルモードで無線接続した端末装置から受信した操作指示により操作が可能な画像形成装置であって、ビームフォーミングを実行可能な無線通信部を備える画像形成装置で実行される制御方法であって、
１または複数の前記端末装置とリモートパネルモードによる無線接続を確立するステップと、
前記端末装置に対して、該端末装置の表示面に表示する操作画面を送信するステップと、
前記操作画面に応じた、前記端末装置から操作指示を受信するステップと、
前記操作指示に基づいて、第１の種類の操作画面と、前記第１の種類の操作画面よりも高い転送レートが要求される第２の種類の操作画面のいずれかを生成し、生成した操作画面を前記端末装置に送信するステップと、
前記第２の種類の操作画面を送信する場合、送信先の端末装置に対するビームフォーミングを有効にするステップと、を含む制御方法。
【００２４】
（１５）前記ビームフォーミングを有効にするステップにおいて、送信先の前記端末装置に対して前記ビームフォーミングを有効にするタイミングは、
前記端末装置に送信する操作画面を前記第２の種類の操作画面に切り替えるとき、
前記端末装置で前記第２の種類の操作画面を表示している場合に、前記端末装置からのジェスチャー操作に関する操作指示を受信し、前記ジェスチャー操作に応じた一連の第２の種類の操作画面の送信を開始するとき、
または、前記端末装置で前記第２の種類の操作画面を表示している場合に、前記端末装置からのジェスチャー操作を受け付ける表示領域内へのユーザーによるタッチ操作開始に関する操作指示を受信したときである、上記（１４）に記載の制御方法。
【発明の効果】
【００２５】
本発明に係る画像形成装置によれば、ユーザーによるジェスチャー操作に関する操作指示を受け付け可能な第２の種類の操作画面を、リモートパネルモードで無線接続された端末装置に送信する場合、送信先の端末装置に対するビームフォーミングを有効にする。このようにすることで、ジェスチャー操作に応じて第２の種類の操作画面を連続して表示するアニメーション表示処理に支障のない通信速度を確保できる。
【図面の簡単な説明】
【００２６】
【図１】画像形成装置およびこれと無線接続する端末装置の一例を示す図である。
【図２】画像形成装置のハードウェア構成例を示すブロック図である。
【図３】リモートパネルモードにおける制御部の機能を説明する機能ブロック図である。
【図４】端末装置の操作パネルに表示する操作画面（第１の種類）の例である。
【図５】端末装置の操作パネルに表示する操作画面（第２の種類）の例である。
【図６】端末装置の操作パネルに表示する操作画面（第２の種類）の例である。
【図７】ビームフォーミングの概念図である。
【図８】第１の実施形態に係る画像形成装置と、端末装置との間の情報の時間的な流れを示す図である。
【図９】第２の実施形態に係る画像形成装置と、端末装置との間の情報の時間的な流れを示す図である。
【図１０Ａ】第３の実施形態に係る画像形成装置と、端末装置との間の情報の時間的な流れを示す図である。
【図１０Ｂ】図１０Ａの一部の処理を示すフローチャートである。
【図１１】第４の実施形態に係る画像形成装置と、２台の端末装置との間の情報の時間的な流れを示す図である。
【図１２】第５の実施形態に係る画像形成装置と、２台の端末装置との間の情報の時間的な流れを示す図である。
【図１３】第６の実施形態に係る画像形成装置と、２台の端末装置との間の情報の時間的な流れを示す図である。
【発明を実施するための形態】
【００２７】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２８】
図１は、実施形態に係る画像形成装置１０およびこれと無線接続する端末装置５０の概略構成の一例を示す図である。また、図２は、画像形成装置１０のハードウェア構成例を示すブロック図である。図３は、リモートパネルモードにおける制御部１１０の機能を説明する機能ブロック図である。以下、図１〜３を参照して、画像形成装置１０の概略構成について説明する。
【００２９】
図１に示すように画像形成装置１０と複数の端末装置５０とは、アクセスポイントとして機能する画像形成装置１０の無線通信部２１０を介して相互に無線接続されている。本実施形態では画像形成装置１０は、コピー機能、プリント機能、スキャン機能、ファクシミリ機能等を備えた多機能デジタル複合機（ＭＦＰ）である。端末装置５０は、スマートフォンやタブレット端末等の携帯、可搬型の装置である。
【００３０】
図２に示すように、画像形成装置１０は、制御部１１０、画像処理部１２０、プリンタ部１３０、ファクシミリ部１４０、ネットワークＩ／Ｆ（ｉｎｔｅｒｆａｃｅ）１５０、不揮発メモリ１６０、ＨＤＤ１７０、操作パネル１８０、自動原稿搬送部１９０、画像読取部２００、および無線通信部２１０を備え、これらは信号線２２０により相互に接続さている。
【００３１】
制御部１１０は、ＣＰＵ１１１、ＲＡＭ１１２、ＲＯＭ１１３等を備え、後述する各機能は、それぞれに対応するプログラムをＲＯＭ１１３から読出してＲＡＭ１１２上に展開し、これをＣＰＵ１１１が実行することにより実現される。
【００３２】
画像処理部１２０は、ファクシミリ部１４０もしくはネットワーク１／Ｆ１５０が受信した画像データ、または画像読取部２００が原稿を読み取って得られた画像データに対して、画像補正や、ラスタライズ処理などの画像処理を施して、印刷データに変換する。変換された印刷データはプリンタ部１３０に送られて、Ｙ、Ｍ、Ｃ、Ｋ色のトナーやインク等の色材により用紙面上にフルカラー画像が形成される。
【００３３】
ネットワークＩ／Ｆ１５０は、外部機器とネットワークＮを介して有線で通信するためのインターフェースであり、イーサネット（登録商標）、ＦＤＤＩ等の規格が用いられる。
【００３４】
不揮発メモリ１６０は、各種のデータが記憶されている。後述する操作画面の全体画像または、これを構成する操作ボタン、アイコン、文字等のオブジェクトの画像データは、不揮発メモリ１６０に記憶されている。
【００３５】
ＨＤＤ１７０は大容量の記憶装置であり、前述のネットワークＩ／Ｆ１５０等により受信した画像データを記憶する。
【００３６】
操作パネル１８０は、液晶等で構成されたディスプレイを備え設定条件や、印刷ジョブの実行状態等の情報を表示する。また、ハードキーや、ディスプレイ面に重畳したタッチセンサーも備え、これらによりユーザーの操作指示を受け付ける。
【００３７】
自動原稿搬送部１９０は、画像形成装置１０の上部に配置され（図１参照）、原稿スタック部を備える。原稿スタック部に載置された原稿用紙は、１ずつ分離されて、画像読取部２００の読み取り位置まで搬送される。
【００３８】
無線通信部２１０は、ＡＰ（Ａｃｃｅｓｓ  Ｐｏｉｎｔ）部２１１、指向性制御部２１２を備える。
【００３９】
ＡＰ部２１１は、例えば無線ＬＡＮモジュールで構成され、この無線ＬＡＮモジュールをアクセスポイントとして機能させることで、例えばＩＥＥＥ８０２．１１標準規格に準拠した無線プロトコル等の技術を用いて、外部の端末装置５０と無線通信できる。ＡＰ部２１１は、複数本のアンテナを備え、特定の端末装置５０に対するビームフォーミングを実行可能である。
【００４０】
指向性制御部２１２は、制御部１１０の制御の基で、特定の端末装置５０に対してビームフォーミングを実行するための演算を行う。このビームフォーミングは、例えばＩＥＥＥ８０２．１１ａｃ標準規格等の既存の技術を用いたものである。ビームフォーミングでは対象となる端末装置５０が置かれている地理的位置において、最も電波強度が強くなるようにビームの指向性を制御する。例えば対象となる特定の端末装置５０から受信したサウンディングフレームに基づいて、チャネル状態を算出し、端末装置５０で、電波強度が強くなるように各アンテナから出力される電波の位相と振幅を調整する（暗黙的フィードバック）。あるいは、端末装置５０側が対応していれば、より精度のよいビームフォーミングとして、以下の手法を取り得る。ＡＰ部２１１が送信したサウンディングフレームに基づいて、端末装置５０側でチャネル状態を算出して、これを受信したＡＰ部２１１がこのチャネル状態に基づいて、各アンテナから出力される電波の位相と振幅を調整する（明示的フィードバック）。
【００４１】
図３に示すように、制御部１１０は、画像制御部１１、操作受付部１２、画像生成部１３として機能する。制御部１１０は、リモートパネルモードで無線接続された端末装置５０に対して、操作画面の画像データを送信する。この操作画面は、画像制御部１１の指示の基、画像生成部１３で生成したものである。端末装置５０に送信する操作画面は、画像形成装置１０の操作パネル１８０に表示する操作画面と原則として共通する。リモートパネルモードにおいては、端末装置５０が操作パネル１８０の代わりのリモートパネルとして機能する。ユーザーは端末装置５０に表示したこの操作画面を通じて操作指示をすることで、画像形成装置１０の各種機能の設定や操作をすることができる。画像制御部１１は、リモートパネルモードを開始するときは、画像生成部１３によりデフォルトの初期操作画面を生成させる。初期操作画面は、後述する第１、第２の種類の操作画面のいずれであってもよい。画像生成部１３は、不揮発メモリ１６０に記憶さている操作画面あるいはこれを構成するオブジェクトを組み合わせて、各種の操作画面を生成する。画像制御部１１は無線通信部２１０を介して、生成された操作画面を端末装置５０に送信する。
【００４２】
端末装置５０では、ネットワークＩ／Ｆ５２０が受けた操作画面の画像データに基づいて、操作パネル５３０の表示面に操作画面を表示させる。この画像データは、例えばＪＰＥＧ形式、ＴＩＦＦ形式等の画像データである。
【００４３】
図４〜図６は、端末装置５０の操作パネル５３０に表示する操作画面の例である。図４に示す操作画面は、「第１の種類の操作画面」としての固定の操作画面（以下、「固定操作画面」ともいう）であり、操作画面に表示している操作ボタン等のオブジェクトは、固定配置されており、移動はしない。
【００４４】
図５、図６に示す操作画面は、「第２の種類の操作画面」であり、ユーザーによるジェスチャー操作に応じて、操作画面の一部または全部をスクロール等のアニメーション表示する操作画面（以下、「ジェスチャー画面」ともいう）である。図５、６の有効領域ａ１はアニメーション表示を行う領域であり、かつ、その領域内のジェスチャー操作を有効と判定する領域である。画像形成装置１０がその有効領域ａ１内に対するユーザーのジェスチャー操作を受けた場合には、その操作に応じて、操作画面の有効領域ａ１に表示している操作ボタンのアイコンをアニメーション表示する。
【００４５】
このような操作パネル５３０に表示した第１または第２の種類の操作画面に対して、ユーザーがいずれかのオブジェクトを操作した場合には、操作パネル５３０のタッチセンサーはその座標、または座標およびその移動を検知する。制御部５１０は、その操作データ（座標等）をネットワークＩ／Ｆ５２０を介して画像形成装置１０に送信する。操作受付部１２は、受信した操作データを解析し、その操作データから操作の種類、および操作位置を特定する。操作の種類としては、指によりタッチパネルを１回押すタッチ操作（タップ操作ともいう）、またはジェスチャー操作がある。ジェスチャー操作にはフリック操作、ドラッグ操作等が含まれる。ここでフリック操作とは、タッチパネルに軽くタッチした状態で指を弾く操作であり、ドラッグ操作（スワイプ操作ともいう）とは、軽くタッチした状態で指を滑らせる操作である。
【００４６】
画像制御部１１は、現在表示している操作画面、つまり最後に端末装置５０に送信した操作画面と、操作受付部１２から受けた操作の種類情報および位置情報から次に更新する操作画面を決定する。図４のような固定操作画面を表示しているときに、操作ボタンの配置位置に対応する座標への押し下げ操作（タッチ操作）を受信した場合、その操作ボタンに応じた処理後の操作画面に更新する。更新後の操作画面の例としては、図４の操作画面よりも下位層の操作画面、または図４の操作画面に対してポップ画面を重畳させた操作画面がある。
【００４７】
図５のようなジェスチャー画面を表示しているときに、有効領域ａ１へのジェスチャー操作を受信した場合、その操作に応じた方向、または移動速度で有効領域ａ１内のオブジェクトをアニメーション表示する。なお有効領域ａ１以外の操作ボタンに対する操作は、固定操作画面と同様の処理を行う。また有効領域ａ１以外の画面領域に対してユーザーのジェスチャー操作が入力されたとしても、端末装置５０または操作受付部１２により無効判定される。アニメーション表示としては、具体的には、操作ボタンやサムネイル画像等の各オブジェクトを所定方向（図５の例では左右方向）にスクロールさせる。このときスクロールすることで表示領域外にオブジェクトを消したり、表示領域外からあらたなオブジェクトを登場させたりもする。このアニメーション表示をする際、画面の動きを滑らかに見せるために、２０〜３０枚／秒でリアルタイムに操作画面を更新する必要がある。
【００４８】
すなわち、第１の種類の操作画面では、ユーザーの操作を１回受ける度に、１枚の操作画面を生成、送信すれば済む。これに対して第２の種類の操作画面では、ユーザーからの１回のジェスチャー操作に応じてアニメーション表示するために、複数枚の一連の操作画面を生成、送信する必要がある。すなわち、アニメーション表示での滑らかな動きを安定して確保するためには、第２の種類の操作画面では、第１の種類の操作画面よりも高い転送レート（速い通信速度）が要求されることになる。
【００４９】
本実施形態において画像制御部１１は、第２の種類の操作画面を端末装置５０に送信する場合、つまり直後にアニメーション表示をするために連続して操作画面を送信する場合、無線通信部２１０を制御して、送信先の端末装置５０に対するビームフォーミングを有効にする。図７は、ビームフォーミングの概念図である。ビームフォーミングが有効でない通常時は、図７（ａ）に示すように画像形成装置１０の無線通信部２１０からは無指向の送信電波を送信している。一方で図７（ｂ）に示すように端末装置５０に対するビームフォーミングを有効にした場合には、端末装置５０の地理的位置で受信信号強度が最も高くなるように、無線通信部２１０は、ＡＰ部２１１の複数の各アンテナから出力する電波の位相と振幅を調整する。つまり端末装置５０の受信信号強度が最も高くなるように、ビームフォーミングを鋭角化させる。これにより端末装置５０が受ける受信信号強度が高くなり、Ｓ／Ｎ比が大きくなることで最大転送レートを増加させることが可能となる。
【００５０】
このように第２の種類の操作画面を端末装置５０に送信する場合に、送信先の端末装置５０に対するビームフォーミングを有効にする。これによりジェスチャー操作に応じて第２の種類の操作画面を連続して送信し、表示するアニメーション表示処理を行う場合に、リアルタイムに安定して画像データを送信することが可能となり、滑らかなアニメーション表示ができる。
【００５１】
（第１の実施形態）
図８は、第１の実施形態に係る画像形成装置１０と、端末装置５０との間の情報の時間的な流れを示す図である。
【００５２】
最初に、画像形成装置１０は、リモートパネルモードで無線接続する端末装置５０からセッション確立要求を受信する（Ｓ１０１）。これに応じて、画像形成装置１０は、端末装置５０にセッション確立応答を送信する（Ｓ１０２）。なお、この確立要求をする際に、端末装置５０またはこれを使用するユーザーのＩＤ、暗証番号等の情報を用いて認証処理を行ってもよい。ステップＳ１０２の処理を行うことで、以降は画像形成装置１０と端末装置５０はリモートパネルモードでの無線接続状態となる。
【００５３】
続いて、画像形成装置１０の制御部１１０は、デフォルトの初期の操作画面データ（第１の種類）を生成し、送信する（Ｓ１０３、Ｓ１０４）。端末装置５０では、受信した固定操作画面を操作パネル５３０に表示する（Ｓ１０５）。
【００５４】
端末装置５０はユーザーにより、操作を受け付けたのであれば（Ｓ１０６）、その操作に応じた操作データ（ここでは座標）を画像形成装置１０に送信する（Ｓ１０６、Ｓ１０７）。
【００５５】
制御部１１０の操作受付部１２は、操作データを解析することで操作位置を特定する。画像制御部１１は、操作位置と端末装置５０に現在表示している操作画面との関係から操作された操作ボタンを特定する。ここで、ステップＳ１０６でタッチ操作された操作ボタンが、ジェスチャー操作を受け付け可能な第２の種類の操作画面（ジェスチャー画面）に遷移するための操作ボタンであれば、画像制御部１１は、端末装置５０に送信する操作画面を第２の種類の操作画面に切り替える判断を行う。この判断により画像制御部１１は、画像生成部１３に第２の種類の操作画面を生成させ、無線通信部２１０により生成した操作画面の画像データを端末装置５０に送信する（Ｓ１２０、Ｓ１２１）。また画像形成装置１０では第２の種類の操作画面を端末装置５０に送信するのと並行して、この端末装置５０に対するビームフォーミングの有効化を開始する（Ｓ１２２）。ビームフォーミングを有効化する処理としては前述のとおりである。送信または受信したサウンディングフレームに基づいて、チャネル状態を算出し、端末装置５０側の電波強度が強くなるようにＡＰ部２１１の複数のアンテナそれぞれの電波出力条件（位相、振幅）を調整する。
【００５６】
このビームフォーミングの有効化処理と並行して、端末装置５０は受信したジェスチャー画面を表示する（Ｓ１２３）。
【００５７】
そしてユーザーによる有効領域ａ１（図５、図６参照）へのジェスチャー操作を受け付けたのであれば（Ｓ１３０）、その操作に応じた操作データ（ここではフリック移動量）を画像形成装置１０に送信する（Ｓ１３１）。
【００５８】
制御部１１０の画像制御部１１は、操作受付部１２による操作データの解析結果により受信した操作情報が有効領域ａ１内での操作であること、および操作の種類が、フリック操作に関するジェスチャー操作であること確認する。これによりアニメーションを開始するタイミングであると判定する（Ｓ１３２）。
【００５９】
ステップＳ１３３の判定に基づいてアニメーション表示処理を行う（Ｓ１３３）。アニメーション表示処理は、１のジェスチャー操作に応じて連続した１連の操作画面を端末装置５０に送信し、端末装置５０側でこれをリアルタイム表示するものである。具体的には、ジェスチャー画面のジェスチャー有効領域ａ１内の操作ボタンなどのオブジェクトを少しずつ移動させた画像と、それ以外の周囲のオブジェクトの画像を合成して１枚の操作画面を生成し、これを連続して、２０〜３０枚／秒の速度で端末装置５０に送信する（Ｓ１３４）。端末装置５０では受信した複数枚の操作画面をリアルタイムで操作パネル５３０に表示することで、アニメーション表示を行う。なお、この一連のアニメーション表示処理の停止は、スクロール終了にともない停止させるようにしてもよい。ここでスクロールの終了は、１のフリック操作に応じて所定時間（例えば１〜３秒）スクロールした後、またはスクロール中の操作画面に対してユーザーによるタッチ操作を受けたときである。また各オブジェクトの総移動距離、移動速度はフリック移動量に応じて適宜設定してもよい。例えば、素早いフリック操作がなされた場合には、オブジェクトの移動速度が速くなるように、操作画面１枚毎のオブジェクトの移動量を大きくする。
【００６０】
図５に示すジェスチャー画面であれば、ジェスチャー操作に応じて有効領域ａ１に多数の操作ボタンを順次スクロール表示する。ユーザーは、所望の操作ボタンが有効領域ａ１内に出現するまで、ステップＳ１３０〜Ｓ１３５の制御を繰り返す。所望の操作ボタンが見つかった場合には、ユーザーはこの操作ボタンに対するタッチ操作（Ｓ１５０）を行う。
【００６１】
画像形成装置１０の画像制御部１１は、これまでと同様に操作データ（ここでは座標）の解析結果により、特定の操作ボタンが選択されたことを確認する（Ｓ１５１）。これにより画像制御部１１は、端末装置５０に送信する操作画面を第２の種類から第１の種類に切り替える判断を行う。この判断により画像制御部１１は、画像生成部１３に第１の種類の操作画面を生成させ、無線通信部２１０により生成した操作画面の画像データを端末装置５０に送信する（Ｓ１５２、Ｓ１５３）。端末装置５０では、受信した固定操作画面を操作パネル５３０に表示する（Ｓ１５４）。また画像形成装置１０では第１の種類の操作画面を端末装置５０に送信すると同時に、この端末装置５０に対するビームフォーミングを無効にする（Ｓ１５５）。
【００６２】
このように、第１の実施形態においては、端末装置に送信する操作画面を第２の種類の操作画面に切り替えるときにビームフォーミングの有効化を開始し、第２の種類の操作画面から第１の種類の操作画面に切り替えるときにビームフォーミングを無効化する。これにより第１の実施形態においては前述の効果に加えて、アニメーション表示処理を開始する操作指示を受け付けたとき（Ｓ１３１）には、既にビームフォーミングは有効化しているので、アニメーション表示処理を直ぐに開始できるという効果が得られる。
【００６３】
（第２の実施形態）
図９は、第２の実施形態に係る画像形成装置１０と、端末装置５０との間の情報の時間的な流れを示す図である。以下に説明するように図９に示す第２の実施形態では、図８に示した第１の実施形態と比較して、ビームフォーミングを有効化および無効化するタイミングが異なる。なお、図９および図９以降の図において、図８と共通する処理については同じ符号を付すことにより説明を省略する。
【００６４】
図９に示す第２の実施形態では、ステップＳ１３２でアニメーションの開始を判定することをトリガとして、対象となる端末装置５０へのビームフォーミングを有効する（Ｓ２３２）。
【００６５】
そしてこの有効にしたビームフォーミングを無効にするのは（Ｓ２３７）、１のジェスチャー操作に基づくアニメーション処理の終わりを判定（Ｓ２３６）したときに行う。このアニメーション表示処理の終了判定は、前述のように、１のジェスチャー操作としてのフリック操作を受けて、スクロールのアニメーション表示処理を開始してから所定時間経過後に終了判定するようにしてもよい。または、所定時間経過する前のスクロール中の操作画面に対してユーザーによるタッチ操作を受けたときに終了判定するようにしてもよい。
【００６６】
このように第２の実施形態では、１つのジェスチャー操作に応じて連続して操作画面を送信し、表示するアニメーション表示処理の開始および終了に応じて、ビームフォーミングの有効化／無効化を行う。画像形成装置１０は、ＡＰ部２１１により複数の端末装置５０と同時に無線接続可能である。複数台の端末装置５０に同時に無線接続しているときに、そのうちの１台の端末装置にビームフォーミングを行うと、同じチャネルを使用する他の端末装置５０に対して受信感度が低下することにより通信速度の低下等の悪影響を与える虞がある。第２の実施形態においては、１つのジェスチャー操作に応じたアニメーション表示処理をする期間だけ、ビームフォーミングを有効にする。これによりビームフォーミングの対象となる端末装置以外の端末装置に対する影響を小さくできるという効果が得られる。
【００６７】
（第３の実施形態）
図１０Ａは、第３の実施形態に係る画像形成装置１０と、端末装置５０との間の情報の時間的な流れを示す図である。図１０Ｂは、図１０Ａの一部の処理を説明するフローチャートである。同図においても、図８、図９と共通する処理に関しては同じ符号を付すことにより説明に代える。
【００６８】
第３の実施形態においては、一連のジェスチャー操作の最初の入力としてタッチ操作がユーザーにより入力され、これを操作受付部１２が有効領域ａ１に対するタッチ操作であると解析したときに（Ｓ３３０〜Ｓ３３２）、ビームフォーミングを有効にする（Ｓ３３３）。以降は、図８と同様のステップＳ１３０〜Ｓ１３５の処理を実行する。
【００６９】
そして続くステップＳ３４０で、有効領域ａ１からユーザーの指を離す操作がなされたとき（あるいは有効領域ａ１外まで指をスライドさせる操作がなされたとき）は、その操作データを受信した操作受付部１２は、有効領域ａ１から指が離れたことを判定する（Ｓ３４１、Ｓ３４２）。この判定に基づいて、画像制御部１１は、ビームフォーミングを無効にする（Ｓ３４３）。なお、このときにステップＳ１３３のアニメーション表示処理が継続中であれば、アニメーション表示処理の終了を待ってからビームフォーミングを無効に切り替える。
【００７０】
図１０Ｂは、画像形成装置１０側の処理を説明するフローチャートであり、継続した操作指示について補足説明する。端末装置５０は所定の周期で、操作パネル５３０へのユーザーのタッチ状態の操作情報を送信する。操作受付部１２は連続して受信した操作情報間でタッチおよびその座標の変化がなければ、ユーザーの指は、継続して操作パネル５３０に触れていると判断する。最初に指が触れたことを検出して（Ｓ３３２）、ビームフォーミングを有効にしてから（Ｓ３３３）、そのまま、指が一度も離れずにジェスチャー操作が行われてアニメーションの開始を判定した場合（Ｓ１３２：ＹＥＳ）、アニメーション表示処理を実行する（Ｓ１３３）。
【００７１】
一方で、ユーザーがジェスチャー操作をせずにそのまま指を離した場合には（Ｓ３４２：ＹＥＳ）、アニメーション表示処理を実行せずに、そのままビームフォーミングを無効にする（Ｓ３４３）。
【００７２】
第３の実施形態では、ユーザーによる有効領域へのタッチ操作が開始されたときに、ビームフォーミングを有効に切り替え、そのタッチ操作が終了したときにビームフォーミングを無効に切り替える。これにより、第１の実施形態と第２の実施形態の中間的な効果が得られる。すなわち、第１の実施形態よりもビームフォーミングを有効にする期間を短くすることができ、第２の実施形態よりも早いタイミングでビームフォーミングの有効化処理が開始されるので、アニメーション表示処理を開始するまでのレスポンスを早くできる。
【００７３】
（同時に複数の端末装置と無線接続する場合）
画像形成装置１０は、２台またはそれ以上の台数の端末装置５０と同時にリモートパネルモードで無線接続可能である。その際に、１台の端末装置５０にビームフォーミングを有効にした場合、同じチャネルを使用する他の端末装置５０に対して受信信号強度が低下することにより通信速度の低下等の悪影響を与える虞がある。以下に説明する第４〜第６の実施形態では、他の端末装置５０の受信信号強度に配慮しながらビームフォーミングの鋭角度（対象機への最適化の度合い）または、有効化の適否を判断するものである。
【００７４】
（第４の実施形態）
図１１は、第４の実施形態に係る画像形成装置１０と、２台の端末装置５０との間の情報の時間的な流れを示す図である。
【００７５】
同図では、２台の端末装置５０ａ（以下、「端末装置１」という）、端末装置５０ｂ（以下、「端末装置２」という）は、図８と同様のセッション確立処理を経て、画像形成装置１０とリモートパネルモードで無線接続している。
【００７６】
端末装置１、２それぞれの操作パネル５３０には、固定操作画面が表示されている（Ｓ１０５、Ｓ１０５ｂ）。以降、図８と同様の処理を実行することにより、一方の端末装置１の操作パネル５３０にジェスチャー画面を表示させる（Ｓ１０６〜Ｓ１２３）。
【００７７】
画像形成装置１０では、端末装置１に第２の種類の操作画面を送信するのと並行して、この端末装置１を対象としたビームフォーミングの有効化を開始する（Ｓ５０１）。
【００７８】
このとき、端末装置１へのビームの鋭角化を直ぐに最大の信号強度になるように最大に鋭角化するのではなく、段階的に鋭角化する（Ｓ５０２）。例えば、無指向時の電波出力条件（全アンテナ共通の位相、振幅）と最適時（最も鋭角）の電波出力条件との中間、またはその間で複数段階の電波出力条件（各アンテナでの位相、振幅）を設定する。そして無指向時の電波出力条件から、徐々に最適時の電波出力条件まで段階的に鋭角化する。
【００７９】
段階的にビームフォーミングを鋭角化しながら、ビームフォーミングの対象となっていない全ての他の端末装置に対してＡＰ部２１１の発信電波に対する受信信号強度を知るため、受信信号強度の送信要求を送る（Ｓ５０３）。そしてこの要求に応じた、各端末装置での受信信号強度（ｄＢｍ）を受信する（Ｓ５０４）。この受信信号強度が、最低限の通信を安定して確保できる所定の閾値（例えば−８０〜−９０ｄＢｍ）以下でなければ（Ｓ５０５：ＮＯ）、さらに、鋭角度の段階を上げたビームフォーミングを行う（Ｓ５０２）。このときのビームフォーミングの条件で、再びステップＳ５０３〜Ｓ５０５の処理を繰り返す。
【００８０】
一方で、信号強度が所定の閾値以下となった場合（Ｓ５０５：ＹＥＳ）、そのときの鋭角度でビームフォーミングを確定する。なお、他の端末装置２が所定時間以上、操作データを受信しない状態が継続していた場合には（Ｓ５０６：ＹＥＳ）、端末装置２の信号強度が閾値以下になることを許容し、さらに、鋭角度の段階を上げる（Ｓ５０２）。なお図１１に示す例では、２台の装置がリモートパネルモードで無線接続した場合を例示したが、３台以上に適用してもよい。例えば３台の場合には、ステップＳ５０５は、他の２台の端末装置の受信信号強度に対して判定し、いずれか一方が閾値以下となった場合には、そのときの鋭角度で、ビームフォーミングを確定する。以降は、確定したビームフォーミングの鋭角度で、図８（Ｓ１３０〜）等と同様に、端末装置１と無線接続し、受け付けたジェスチャー操作に応じたアニメーション表示処理を実行する。
【００８１】
このように複数台の端末装置がリモートパネルモードで画像形成装置１０と無線接続しているときに、１台の端末装置のビームフォーミングを有効にさせる際に、他の端末装置の信号強度の低下に配慮しながらビームフォーミングの鋭角度を決定する。これにより第２の種類の操作画面を送信する端末装置についてはビームフォーミングすることでリアルタイムに安定して画像データを送信でき、滑らかにアニメーション表示可能となる。また他の端末装置については、第１の種類の操作画面の送信に支障がない最低限の通信速度を確保することが可能となる。
【００８２】
（第５の実施形態）
図１２は、第５の実施形態に係る画像形成装置１０と、２台の端末装置５０との間の情報の時間的な流れを示す図である。同図においては２台の端末装置１、２がともにリモートパネルモードで無線接続しており、そのうちの端末装置１に対してはビームフォーミングを有効にしている。このような状況の下、ビームフォーミングの対象としていない端末装置２に、第２の種類の操作画面を送信することになった場合のビームフォーミングの有効化の適否を判断するものである。
【００８３】
図１２では、図８と同様のステップＳ１０５〜Ｓ１２３の処理を行うことにより、端末装置２の操作パネル５３０には、ジェスチャー画面が表示される。この時点で、端末装置１に加えて、２台目の端末装置２もビームフォーミングの対象候補となるため、一旦、全端末装置に対するビームフォーミングを無効化して、無指向にする。この状態で２台の端末装置それぞれに対して受信信号強度の送信要求を送り（Ｓ６０２）、この要求に応じた、受信信号強度（ｄＢｍ）を受信する（Ｓ６０３）。そして両方の受信信号強度を比較し、低い方の端末装置をビームフォーミングの対象とする。例えば端末装置２の受信信号強度ｓｉ２０が、端末装置１の受信信号強度ｓｉ１０よりも低ければ、端末装置２を対象としてビームフォーミングの有効化を開始する（Ｓ６０４）。
【００８４】
そして図１１のＳ５０２〜Ｓ５０４と同様に、対象に決定した端末装置２に対して、段階的にビームフォーミングを鋭角にする。この処理と並行にビームフォーミングの対象となっていないもう１台の端末装置に対してＡＰ部２１１の発信電波に対する受信信号強度を知るため、受信信号強度の送信要求を送る（Ｓ６０６）。そしてこの要求に応じた、各端末装置での受信信号強度（ｄＢｍ）を受信する（Ｓ６０７）。
【００８５】
そして、段階的に鋭角化する過程で、その時点の端末装置１の受信信号強度ｓｉ１１が、ステップＳ６０３で受信した無指向のときの受信信号強度ｓｉ１０より低くなければ（Ｓ６０８：ＮＯ）、鋭角化を継続する（Ｓ６０５）。一方で、その時点の端末装置１の受信信号強度ｓｉ１１が、無指向のときの受信信号強度ｓｉ１０より低ければ（Ｓ６０８：ＹＥＳ）、ビームフォーミングの鋭角化を１つ前の段階の鋭角度に戻して、その鋭角度でビームフォーミングを確定する（Ｓ６０９）。以降は、図８（Ｓ１３０〜）等と同様に、受け付けたジェスチャー操作に応じたアニメーション表示処理を実行する。
【００８６】
なお、段階的に鋭角化するときに（Ｓ６０５〜Ｓ６０８）、リモートパネルモードで接続している（３台目の）他の端末装置があれば、この他の端末装置に対して、図１１のステップＳ５０３〜Ｓ５０６の処理を並行して行い、他の端末装置の通信速度を確保するようにしてもよい。
【００８７】
このように１台の端末装置に対するビームフォーミングが有効であるときに、さらに、もう１台の端末装置に第２の種類の操作画面を送信して、ビームフォーミングを有効にするタイミングになった場合、一旦、ビームフォーミングを無効にする。そして双方から受信した、受信信号強度（ｓｉ１０、ｓｉ２０）を比較し、受信信号強度が低い方の端末装置へのビームフォーミングを有効にすることで、両方の端末装置に対して、リアルタイムで安定して画像データを送信することが可能となり、滑らかなアニメーション表示ができる。
【００８８】
（第６の実施形態）
次に図１３を参照し、第６の実施形態に係る画像形成装置を説明する。第６の実施形態は、ビームフォーミングを有効にしている端末装置がその地理的位置を移動した場合の処理に関するものである。端末装置が移動した場合は、それまでのビームフォーミングの電波出力条件では、最適な受信信号強度が得られなくなる。第６の本実施形態では、制御部１１０が「移動検出部」として機能する。そしてこの制御部１１０が、受信信号強度の変化をモニターすることで端末装置の地理的移動を検知し、移動を検出した場合、移動後の端末装置で、受信信号強度が最適となるようにビームフォーミングの向きを追従させるものである。
【００８９】
図１３では、図８等の処理を行うことで、端末装置１、２の２台がリモートパネルモードで画像形成装置１０と無線接続しており、そのうちの端末装置１に対してはビームフォーミングを有効にしている。
【００９０】
端末装置１は、移動した場合には、移動情報を画像形成装置１０に送信する。この移動情報は、端末装置１が受信信号強度を定期的に画像形成装置１０に送信するようにし、この受信信号強度から移動を検出するようする。具体的には、画像形成装置１０の制御部１１０は、ビームフォーミング開始時の受信信号強度に対して現在の受信信号強度が所定値以上低下した場合に、移動したことを検出する。あるいは、受信信号強度の絶対値が所定値以下に低下した場合に、移動したと判定する。また別の例として、端末装置１が地理的位置の移動を検出するＩＣタグあるいはＧＰＳのモジュールを備え、このモジュールから移動情報を得てもよい。
【００９１】
このような手法で、画像形成装置１０は、端末装置１の移動を検出する（Ｓ７０１、Ｓ７０２）。移動を検出した場合、無線通信部２１０は、移動後の端末装置１に対して、ビームフォーミングを追従させる。つまり、新たに送信または受信したサウンディングフレームに基づいて、現在の地理的位置での端末装置１とＡＰ部２１１間のチャネル状態を算出し、このチャネル状態に基づいて、ＡＰ部２１１の各アンテナから出力される電波出力条件を再調整する。
【００９２】
このようにすることで、端末装置１が移動したとしても、移動後の端末装置１に対して、ビームフォーミングを最適化できる。これによりジェスチャー操作に応じたアニメーション表示を行う場合に、リアルタイムに安定して画像データを送信することが可能となり、滑らかなアニメーション表示ができる。
【００９３】
また、ビームフォーミングを追従させたときに、他の端末装置２の受信信号強度が変化するようであれば以下のＳ８０１以降の処理を行うようにしてもよい。具体的には端末装置に対してＡＰ部２１１の発信電波に対する受信信号強度を知るため、受信信号強度の送信要求を送る（Ｓ８０１）。そしてこの要求に応じた、各端末装置での受信信号強度（ｄＢｍ）を受信する（Ｓ８０２）。この受信信号強度が、最低限の通信を安定して確保できる所定の閾値（例えば−８０〜−９０ｄＢｍ）以下であり（Ｓ８０３：ＹＥＳ）、かつ、端末装置２が所定時間以上、操作データを受信しない状態が継続していない場合には（Ｓ８０４：ＮＯ）、ビームフォーミングを無効にする（Ｓ８０５）。
【００９４】
一方で、所定の閾値以下でなく（Ｓ８０３：ＮＯ）最低限の通信を安定して確保できる場合、または、端末装置２が所定時間以上、操作データを受信しない状態が継続していた場合には（Ｓ８０４：ＹＥＳ）、Ｓ７０３で行ったビームフォーミングの電波条件を確定して終了する。
【００９５】
このようにすることで、他の端末装置２については最低限の通信速度を確保することが可能であるとともに、移動後の端末装置１に対して、ビームフォーミングを最適化できる。
【００９６】
以上本発明の実施形態を説明したが、本発明はこれら実施形態に限定されるものではない。特に、各実施形態において説明した手順を様々に組み合わせて実行することもできる。例えば第１、第２の実施形態で説明した、ビームフォーミングを有効化する手順、およびビームフォーミングを無効化する手順については相互に組み合わせることが可能である。またこれらの手順を第４〜第６の実施形態に適用してもよい。
【００９７】
そのほか、本発明は、特許請求の範囲に記載された内容によって規定されるものであり、様々な変形形態が可能である。
【符号の説明】
【００９８】
１０  画像形成装置、
１１０  制御部、
１１１  ＣＰＵ、
１１２  ＲＡＭ、
１１３  ＲＯＭ、
１１  画像制御部、
１２  操作受付部、
１３  画像生成部、
１２０  画像処理部、
１３０  プリンタ部、
１４０  ファクシミリ部、
１５０  ネットワークＩ／Ｆ、
１６０  不揮発メモリ、
１７０  ＨＤＤ、
１８０  操作パネル、
１９０  自動原稿搬送部、
２００  画像読取部、
２１０  無線通信部、
２１１  ＡＰ部、
２１２  指向性制御部、
２２０  信号線、
５０、５０ａ、５０ｂ  端末装置、
５１０  制御部、
５２０  ネットワークＩ／Ｆ、
５３０  操作パネル、
ａ１  有効領域。
【図１】
0006278001.tif 000002
【図２】
0006278001.tif 000003
【図３】
0006278001.tif 000004
【図４】
0006278001.tif 000005
【図５】
0006278001.tif 000006
【図６】
0006278001.tif 000007
【図７】
0006278001.tif 000008
【図８】
0006278001.tif 000009
【図９】
0006278001.tif 000010
【図１０Ａ】
0006278001.tif 000011
【図１０Ｂ】
0006278001.tif 000012
【図１１】
0006278001.tif 000013
【図１２】
0006278001.tif 000014
【図１３】
0006278001.tif 000015